(57)【特許請求の範囲】
【請求項１】
第１の筐体及び第２の筐体を備えるとともに、少なくとも、前記第１の筐体の第１の面、及び前記第２の筐体の第１の面が対面するように積層された第１の状態、前記第１の筐体の第２の面、及び前記第２の筐体の第１の面が対面するように積層された第２の状態に変形する電子機器であって、
前記第１の筐体に、スピーカ及び磁石が相互に極性が揃うように収納され、
前記第２の筐体に、Ｓ極の磁気を検出した状態、Ｎ極の磁気を検出した状態、何れの磁気も検出しない状態の３状態を判定し、それぞれの状態に対応した異なる出力をするホールＩＣが収納され、
前記第１の状態及び第２の状態で、前記第１の筐体に収納されたスピーカまたは磁石と前記第２の筐体に収納されたホールＩＣとがそれぞれ重なり合うように配置されたことを特徴とする電子機器。
【請求項２】
前記ホールＩＣが第１の極性の磁気を検出した場合、電子機器が前記第１の状態であると判定するとともに、前記ホールＩＣが第２の極性の磁気を検出した場合、前記第２の状態であると判定する判定手段を備えたことを特徴とする請求項１記載の電子機器。
【請求項３】
前記電子機器は、前記第１の筐体及び前記第２の筐体が相互に接触していない第３の状態に変形することを特徴とする請求項１又は２記載の電子機器。
【請求項４】
前記ホールＩＣが第１の極性の磁気を検出した場合、電子機器が前記第１の状態であると判定し、前記ホールＩＣが第２の極性の磁気を検出した場合、電子機器が前記第２の状態であると判定するとともに、前記ホールＩＣが第１の極性の磁気及び第２の極性の磁気のいずれも検出しなかった場合、電子機器が前記第３の状態であると判定する判定手段を備えたことを特徴とする請求項３記載の電子機器。
【請求項５】
前記電子機器は、前記第１の筐体及び第２の筐体がヒンジ部を介して回転することにより、前記第１の状態または第２の状態に変形するものであり、
前記スピーカ及び磁石は、前記第１の筐体において前記ヒンジ部に対して反対側の位置に配置されるとともに、前記ホールＩＣは、前記第２の筐体において前記ヒンジ部に対して反対側の位置に配置されることを特徴とする請求項１記載の電子機器。
【発明の詳細な説明】
【技術分野】
【０００１】
本発明は、複数の状態に変形するとともに、磁石及びホールＩＣによってこれらの状態を判定することができる電子機器に関する。
【背景技術】
【０００２】
現在、携帯電話機等の電子機器の多機能化に伴い、複数の筐体が開閉自在に結合されたクラムシェル型やスイーベル型等の電子機器が開発されるようになってきた。このような電子機器では、大画面のディスプレイを配置したり、大型のスピーカを搭載したり、また、多くの機能を備えた操作キーを配置したりでき、大変便利である。開閉自在な電子機器において、通常、磁石と、この磁石の磁力を検出するホールＩＣとを組み合わせることにより、その開閉状態を検出している。または、スピーカの磁力をそのままホールＩＣに検出させることにより、開閉状態の検出を行うことも可能である。
【０００３】
ここで、筐体に設けた地磁気センサに対する磁気ノイズの影響をなくして、高精度な地磁気検出を可能とし、正確な方位情報を得ることができる携帯端末装置が提案されている（特許文献１参照）。この携帯端末装置は、スピーカの磁石からの磁気ノイズによる磁力線を、地磁気センサに対して直交させ、水平方向成分が生じないように構成されたものである。
【特許文献１】特開２００３−２７９３５４号公報
【発明の開示】
【発明が解決しようとする課題】
【０００４】
現在、磁石やホールＩＣ等の磁気センサを用いて開閉状態を判定する携帯電話機等の電子機器において、高密度化及び小型化、及び薄型化が進んでいるため、磁束を発生させるスピーカやレシーバ等が磁気センサの近傍に配置されてしまい、スピーカやレシーバにより磁気ノイズが発生して、正確な磁気検出が行えない恐れがあるという問題があった。
【０００５】
本発明は、上記課題を鑑みなされてものであり、小型、薄型に形成されるとともに複数の状態に変形する電子機器であって、磁石やホールＩＣでその状態を判定する際、スピーカの磁石による影響を受けることなく、正確な磁気検出を行うことができる電子機器を提供することを目的とする。
【課題を解決するための手段】
【０００６】
上記課題を解決するために、本発明に係る電子機器は、第１の筐体及び第２の筐体を備えるとともに、少なくとも、前記第１の筐体の第１の面、及び前記第２の筐体の第１の面が対面するように積層された第１の状態、前記第１の筐体の第２の面、及び前記第２の筐体の第１の面が対面するように積層された第２の状態に変形する電子機器であって、前記第１の筐体に、スピーカ及び磁石が相互に極性が揃うように収納され、前記第２の筐体に、Ｓ極の磁気を検出した状態、Ｎ極の磁気を検出した状態、何れの磁気も検出しない状態の３状態を判定し、それぞれの状態に対応した異なる出力をするホールＩＣが収納され、前記第１の状態及び第２の状態で、前記第１の筐体に収納されたスピーカまたは磁石と前記第２の筐体に収納されたホールＩＣとがそれぞれ重なり合うように配置されたことを特徴とする。
【発明の効果】
【０００７】
本発明に係る電子機器によると、小型、薄型に形成されるとともに複数の状態に変形可能であり、磁石やホールＩＣでその状態を判定する際、スピーカの磁石による影響を受けることなく、正確な磁気検出を行うことが可能となる。
【発明を実施するための最良の形態】
【０００８】
〔第１実施形態〕
本発明に係る電子機器の第１実施形態について、図１乃至図１０を参照しながら説明する。第１実施形態の電子機器として、複数の筐体が回転自在に結合されてなる回転２軸機構を備えたスイーベル型の携帯電話機１を例に挙げて説明する。このスイーベル型の携帯電話機１は、少なくとも閉じた状態、開いた状態、及びターンオーバー状態に変形するものである。
【０００９】
図１（Ａ）は、携帯電話機１の開いた状態を示す正面図であり、図１（Ｂ）は、携帯電話機１の開いた状態を示す側面図である。図２（Ａ）は、携帯電話機１の閉じた状態を示す正面図であり、図２（Ｂ）は、携帯電話機１の閉じた状態を示す側面図である。
【００１０】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度（例えば１８０度）だけ回転自在なように形成されている。携帯電話機１は、上筐体１０を下筐体１１に対してＸ方向に回転させることにより、閉じた状態から開いた状態に、あるいは開いた状態から閉じた状態に変形する。
【００１１】
図３（Ａ）は、携帯電話機１を開いた状態にしたときに、上筐体１０を下筐体１１に対して、軸周り（図１のＹ方向）に９０度回転させた状態を示す正面図である。図３（Ｂ）は、携帯電話機１を開いた状態にしたときに、上筐体１０を下筐体１１に対して、軸周り（Ｙ方向）に９０度回転させた状態を示す側面図である。図３（Ｃ）は、携帯電話機１において、図３（Ａ）に示す状態から、さらに９０度回転させた状態、すなわち、開いた状態から上筐体１０を下筐体１１に対して軸周り（Ｙ方向）に１８０度回転させた状態を示す図である。
【００１２】
上筐体１０は下筐体１１に対して、携帯電話機１を開いた状態（図１（Ａ）に示す状態）にしたときに上筐体１０、ヒンジ部１１、下筐体１２の中心を一直線に結ぶ軸の軸周り（図１のＹ方向）に所定角度（例えば１８０度）だけ回転自在なように形成されている。これにより、ユーザは、下筐体１１を固定した状態で、上筐体１０を軸周りに回転させることにより、液晶ディスプレイ１３の角度を自在に変えることができる。
【００１３】
図４（Ａ）は、携帯電話機１のターンオーバー状態を示す正面図であり、図４（Ｂ）は、携帯電話機１のターンオーバー状態を示す側面図である。携帯電話機１の開いた状態から上筐体１０を下筐体１１に対して軸周り（Ｙ方向）に１８０度回転させた状態（図３（Ａ）に示す状態）にすると、上筐体１０を下筐体１１に対して、Ｘ方向に回転させることができ、その結果、上筐体１０及び下筐体１１が、上筐体１０の外面１０ｂと下筐体１１の内面１１ｂとが対面した状態で積層される。この状態がターンオーバー状態である。
【００１４】
上筐体１０の内面（下筐体１１に対面する側の面）１０ａには、文字や画像等からなる画面を表示するための液晶ディスプレイ１３、音声を出力するためのスピーカ１４が設けられている。これらの液晶ディスプレイ１３やスピーカ１４は、携帯電話機１が閉じた状態のときには、下筐体１１により覆われていて外部に露出していないが、上筐体１０を下筐体１１に対して回転させて開いた状態に変形させたときには、外部に露出される。また、これらの液晶ディスプレイ１３やスピーカ１４は、携帯電話機１がターンオーバー状態のときには、外部に露出される。
【００１５】
上筐体１０の外面（下筐体１１に対面しない側の面）１０ｂには、現在時刻や携帯電話機１の端末状態を表示するためのサブディスプレイ１３ａが設けられている。サブディスプレイ１３ａは、携帯電話機１が開いた状態であっても閉じた状態であっても、外部に露出される。また、サブディスプレイ１３ａは、携帯電話機１がターンオーバー状態のときには、下筐体１１に覆われて外部に露出しない。
【００１６】
下筐体１１の内面（上筐体１０に対面する側の面）１１ａには、例えば、カーソルや表示画面を上下左右に移動させるための十字キーや、項目を選択するための選択キーや、数字を入力するための数字キー、発信処理を行うための発信キー等の操作キー１５が設けられている。また下筐体１１の内面１１ａには、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには、外部に露出される。また、操作キー１５やマイクロフォン１６は、携帯電話機１がターンオーバー状態のときには、上筐体１０に覆われて外部に露出しない。
【００１７】
携帯電話機１は、これらの閉じた状態、開いた状態、及びターンオーバー状態のうちのいずれの状態にあるかを判定する際に、上筐体１０に内蔵された磁石１７の磁力を、下筐体１１に内蔵されたホールＩＣ１８により検出することにより判定する。
【００１８】
図５は、携帯電話機１に収納されているスピーカ１４や磁石１７、ホールＩＣ１８の配置を示す図である。携帯電話機１において、図５に示すように、上筐体１０にはスピーカ１４及び磁石１７が内蔵されていて、これらのスピーカ１４及び磁石１７は、上筐体１０においてヒンジ部１２の反対側（ヒンジ部１２から最も遠い位置）に並列するように配置されている。また、下筐体１１には１対のホールＩＣ１８が内蔵されていて、この１対のホールＩＣ１８は、下筐体１１においてヒンジ部１２の反対側（ヒンジ部１２から最も遠い位置）に並列するように配置されている。
【００１９】
図６（Ａ）及び図６（Ｂ）に、スピーカ１４及び磁石１７が上筐体１０に内蔵されている様子を説明するための図を示す。図６（Ａ）に示すように、磁石１７は、上筐体１０の内面１０ａにＳ極側が、外面１０ｂにＮ極側が位置するように収納されている。また、図６（Ｂ）に示すように、スピーカ１４は内部に磁石を備えていて、上筐体１０の内面１０ａにＳ極側、外面１０ｂにＮ極側が位置するように収納されている。すなわち、上筐体１０において、スピーカ１４及び磁石１７は、相互に極性が同じ方向を向くように配置されている。
【００２０】
図７（Ａ）及び図７（Ｂ）に、１対のホールＩＣ１８が下筐体１１に内蔵されている様子を説明するための図を示す。１対のホールＩＣ１８は、磁気センサであるホール素子とその出力信号をデジタル信号に変換するＩＣが１パッケージ化された素子であり、一方のホールＩＣ１８は、電源端子、ＧＮＤ端子、Ｓ極検出用の出力端子の３端子で構成されていて、Ｓ極の磁気を検出する。また、他方のホールＩＣ１８は、電源端子、ＧＮＤ端子、Ｎ極検出用の出力端子の３端子で構成されていて、Ｎ極の磁気を検出する。１対のホールＩＣ１８は、一定距離内にある磁石からの磁気を検出するとともに、この磁気がＮ極の磁気であるか、またはＳ極の磁気であるかを判定する。
【００２１】
なお、スピーカ１４、及び１対のホールＩＣ１８は、携帯電話機１を閉じた状態にしたときに、上筐体１０に内蔵されたスピーカ１４と１対のホールＩＣ１８のうちの一方とが重なり合う位置に配置されている。また、磁石１７、及び１対のホールＩＣ１８は、携帯電話機１をターンオーバー状態にしたときに、磁石１７と１対のホールＩＣ１８のうちのもう一方とが重なり合う位置に配置されている。
【００２２】
図８は、磁石１７及び１対のホールＩＣ１８による判定方法を示す判定表２０である。判定表２０は、携帯電話機１の状態２１ａに対して、ホールＩＣ１８に対峙する磁石１７の極性２０ｂ、ホールＩＣ１８に対峙するスピーカ１４の極性２０ｃ、Ｓ極の磁気を検出するホールＩＣ１８のＯＮ／ＯＦＦ状態２０ｄ、Ｎ極の磁気を検出するホールＩＣ１８のＯＮ／ＯＦＦ状態２０ｅがそれぞれ対応付けられている。
【００２３】
ホールＩＣ１８に対峙する極性が、磁石１７のＳ極、スピーカ１４のＳ極であった場合、Ｓ極の磁気を検出するホールＩＣ１８がＯＮ、Ｎ極の磁気を検出するホールＩＣ１８がＯＦＦとなり、携帯電話機１が閉じた状態（第１の状態）であると判定される。また、ホールＩＣ１８に対峙する極性が、磁石１７のＮ極、スピーカ１４のＮ極であった場合、Ｎ極の磁気を検出するホールＩＣ１８がＯＮ、Ｓ極の磁気を検出するホールＩＣ１８がＯＦＦとなり、携帯電話機１がターンオーバー状態（第２の状態）であると判定される。そして、ホールＩＣ１８に磁石１７やスピーカ１４が対峙していない場合、ホールＩＣ１８ではＮ極の磁気を検出するホールＩＣ１８、Ｓ極の磁気を検出するホールＩＣ１８の双方がＯＦＦとなり、携帯電話機１が開いた状態（第３の状態）であると判定される。
【００２４】
１対のホールＩＣ１８は、スピーカ１４または磁石１７が一定距離内に近付くと、スピーカ１４の磁石または磁石１７の磁気を検出する。図９（Ａ）は、携帯電話機１を閉じた状態にしたときの、磁石１７及びホールＩＣ１８の様子を側面から見た状態を示す図である。なお、図９及び図１５において、Ｎ極を白塗りで示し、Ｓ極を黒塗りで示す。携帯電話機１を閉じた状態にすると、上筐体１０の内面１０ａ及び下筐体１０の内面１０ｂとが対面する。すなわち、磁石１７のＳ極側とホールＩＣ１８、スピーカ１４のＳ極側とホールＩＣ１８が、それぞれ対面する。よって、ホールＩＣ１８がＳ極の磁場を検出した場合に、携帯電話機１が閉じた状態であるものと判定される。
【００２５】
図９（Ｂ）は、携帯電話機１をターンオーバー状態にしたときの、磁石１７及びホールＩＣ１８の様子を側面から見た状態を示す図である。携帯電話機１をターンオーバー状態にすると、上筐体１０の外面１０ｂ及び下筐体１０の内面１０ｂとが対面する。すなわち、磁石１７のＮ極側とホールＩＣ１８、スピーカ１４のＮ極側とホールＩＣ１８が、それぞれ対面する。よって、ホールＩＣ１８がＮ極の磁場を検出した場合に、携帯電話機１がターンオーバー状態であるものと判定される。
【００２６】
このとき、スピーカ１４の磁石と、磁石１７とが相互に極性が同じ方向を向くように配置されていることにより、スピーカ１４の磁石の影響により携帯電話機１の状態が誤判定することが防止されている。
【００２７】
なお、第１実施形態では、Ｓ極の磁気を検出するホールＩＣ１８、Ｎ極の磁気を検出するホールＩＣ１８の２つのホールＩＣ１８を用いる例について説明したが、Ｓ／Ｎ極の磁気を検出するホールＩＣ１８を用いても良い。このホールＩＣ１８は、磁気センサであるホール素子とその出力信号をデジタル信号に変換するＩＣが１パッケージ化された素子であり、電源端子、ＧＮＤ端子、Ｓ極検出用の出力端子、Ｎ極検出用の出力端子の４端子で構成されている。この場合には、ホールＩＣ１８を、閉じた状態及びターンオーバー状態において、スピーカ１４または磁石１４のいずれかにそれぞれ対峙する位置に１つ配置すればよい。
【００２８】
図１０は、磁石１７及びＳ／Ｎ極の磁気を検出するホールＩＣ１８による判定方法を示す判定表２１である。判定表２１は、携帯電話機１の状態２１ａに対して、ホールＩＣ１８に対峙する磁石１７の極性２１ｂ、ホールＩＣ１８に対峙するスピーカ１４の極性２１ｃ、ホールＩＣ１８により検出された極性２１ｄがそれぞれ対応付けられている。
【００２９】
ホールＩＣ１８に対峙する極性が、磁石１７のＳ極またはスピーカ１４のＳ極であった場合、ホールＩＣ１８がＳ極の磁気を検出し、携帯電話機１が閉じた状態（第１の状態）であると判定される。また、ホールＩＣ１８に対峙する極性が、磁石１７のＮ極またはスピーカ１４のＮ極であった場合、ホールＩＣ１８がＮ極の磁気を検出し、携帯電話機１がターンオーバー状態（第２の状態）であると判定される。そして、ホールＩＣ１８に磁石１７やスピーカ１４が対峙していない場合、ホールＩＣ１８がＯＦＦとなり、携帯電話機１が開いた状態（第３の状態）であると判定される。
【００３０】
このように、クラムシェル型やスイーベル型等の複数の状態に変形する携帯電話機１において、磁石１７及びホールＩＣ１８を用いてこれらの状態を判定する際、携帯電話機１がスピーカ１４等の磁束を発生させる部品を内蔵していて、開閉状態を検出するホールＩＣ１８を、このスピーカ１４等の近傍に配置せざるを得ない場合であっても、磁石１７のＳ極、Ｎ極と、スピーカ１４のＳ極、Ｎ極との極性の方向を揃えることによって、ホールＩＣ１８を用いてスピーカ１４の磁石または磁石１７の磁力を検出して、携帯電話機１の状態を正確に判定することができる。
【００３１】
また、携帯電話機１がスイーベル型であった場合、この携帯電話機１の状態としては閉じた状態、ターンオーバー状態、開いた状態の３状態を識別する必要がある。スピーカ１４と磁石１７とを極性が同じ方向になるように配置して、ホールＩＣ１８として、磁石１７の極性（Ｎ極あるいはＳ極）の判定ができるものを採用し、例えば、スピーカ１４及び磁石１７を、閉じた状態の時は磁石のＳ極で判定し、ターンオーバー状態の時はＮ極で判定するように配置することにより、スピーカ１４等の磁束の影響を受けずに携帯電話機１の状態の判定を行うことが可能となる。この際、いずれのホールＩＣ１８でも磁束を検出できない場合、携帯電話機１は開いた状態であるものと判定される。
【００３２】
第１実施形態の電子機器（携帯電話機１）によると、小型、薄型に形成されるとともに複数の状態に変形可能であり、磁石やホールＩＣでその状態を判定する際、磁石とスピーカとの極性の方向をそろえることにより、スピーカの磁石による影響を受けることなく、正確な磁気検出を行うことが可能となる。
【００３３】
〔第２実施形態〕
本発明に係る電子機器の第２実施形態について、図１１乃至図１５を参照しながら説明する。第２実施形態の電子機器として、第１実施形態と同様に、スイーベル型の携帯電話機１Ａを例に挙げて説明する。なお、第１実施形態と同一の構成には同一の符号を付し、重複する説明を省略する。
【００３４】
第２実施形態の携帯電話機１Ａの外観は、第１実施形態の携帯電話機１と同一である。すなわち、携帯電話機１Ａは、図１及び図２に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度（例えば１８０度）だけ回転自在なように形成されている。携帯電話機１Ａは、上筐体１０を下筐体１１に対してＸ方向に回転させることにより、閉じた状態から開いた状態に、あるいは開いた状態から閉じた状態に変形する。
【００３５】
上筐体１０は下筐体１１に対して、携帯電話機１Ａを開いた状態（図１（Ａ）に示す状態）にしたときに上筐体１０、ヒンジ部１１、下筐体１２を一直線に結ぶ軸の軸周り（図１のＹ方向）に所定角度（例えば１８０度）だけ回転自在なように形成されている。これにより、ユーザは、下筐体１１を固定した状態で、上筐体１０を軸周りに回転させることにより、液晶ディスプレイ１３の角度を自在に変えることができる。
【００３６】
携帯電話機１Ａの開いた状態から上筐体１０を下筐体１１に対して軸周り（Ｙ方向）に１８０度回転させた状態（図３（Ａ）に示す状態）にすると、上筐体１０を下筐体１１に対して、Ｘ方向に回転させることができ、その結果、上筐体１０及び下筐体１１が、上筐体１０の外面１０ｂと下筐体１１の内面１１ｂとが対面した状態で積層される。
【００３７】
図１１は、携帯電話機１に収納されているスピーカ１４や磁石１７、ホールＩＣ１８の配置を示す図である。携帯電話機１Ａにおいて、図１１に示すように、上筐体１０のヒンジ部１２の近傍（ヒンジ部１２に最も近い位置）に１対の磁石１７が並列するように内蔵されていて、ヒンジ部１２の反対側（ヒンジ部１２に最も遠い位置）にスピーカ１４が内蔵されている。また、下筐体１１のヒンジ部１２から最も近い位置に、第１実施形態のホールＩＣ１８と同様のホールＩＣ１８が１つ内蔵されている。
【００３８】
図１２（Ａ）及び図１２（Ｂ）に、スピーカ１４及び磁石１７が上筐体１０に内蔵されている様子を説明するための図を示す。図１２（Ａ）に示すように、スピーカ１４は内部に磁石を備えていて、上筐体１０の内面１０ａにＮ極側、外面１０ｂにＳ極側が位置するように収納されている。同様に、１対の磁石１７は、筐体１０の内面１０ａにＮ極側が、外面１０ｂにＳ極側が位置するようにそれぞれ収納されている。
【００３９】
なお、１対の磁石１７及びホールＩＣ１８は、携帯電話機１Ａを閉じた状態にしたときに、上筐体１０に内蔵された１対の磁石１７のうちのいずれか一方が、下筐体１１に内蔵されたホールＩＣ１８に、重なり合うとともに、携帯電話機１Ａをターンオーバー状態にしたときに、上筐体１０に内蔵された一対の磁石１７のうちのもう一方が、ホールＩＣ１８に重なり合う位置に配置されている。
【００４０】
図１３（Ａ）及び図１３（Ｂ）に、ホールＩＣ１８が下筐体１１に内蔵されている様子を説明するための図を示す。ホールＩＣ１８は、磁気センサであるホール素子とその出力信号をデジタル信号に変換するＩＣが１パッケージ化された素子であり、電源端子、ＧＮＤ端子、Ｓ極検出用の出力端子、Ｎ極検出用の出力端子の４端子で構成されている。ホールＩＣ１８は、一定距離内にある磁石からの磁気を検出するとともに、この磁気がＮ極の磁気であるか、またはＳ極の磁気であるかを判定する。
【００４１】
図１４は、１対の磁石１７及びホールＩＣ１８による判定方法を示す判定表２２である。判定表２２は、携帯電話機１の状態２２ａに対して、ホールＩＣ１８に対峙する一方の磁石１７の極性２２ｂ、ホールＩＣ１８に対峙する他方の磁石１７の極性２２ｃ、ホールＩＣ１８により検出された極性２１ｄがそれぞれ対応付けられている。
【００４２】
ホールＩＣ１８に対峙する極性が、いずれかの磁石１７のＮ極であった場合、ホールＩＣ１８がＮ極の磁気を検出し、携帯電話機１が閉じた状態（第１の状態）であると判定される。また、ホールＩＣ１８に対峙する極性が、いずれかの磁石１７のＳ極であった場合、ホールＩＣ１８がＮ極の磁気を検出し、携帯電話機１がターンオーバー状態（第２の状態）であると判定される。そして、ホールＩＣ１８にいずれの磁石１７も対峙していない場合、ホールＩＣ１８がＯＦＦとなり、携帯電話機１が開いた状態（第３の状態）であると判定される。
【００４３】
図１５（Ａ）は、携帯電話機１Ａを閉じた状態にしたときの、磁石１７及びホールＩＣ１８の状態を示す図である。携帯電話機１Ａを閉じた状態にすると、上筐体１０の内面１０ａ及び下筐体１１の内面１１ｂとが対面する。すなわち、１対の磁石１７のいずれかのＮ極側とホールＩＣ１８が対面する。よって、ホールＩＣ１８がＮ極の磁場を検出した場合に、携帯電話機１Ａが閉じた状態であるものと判定される。
【００４４】
図１５（Ｂ）は、携帯電話機１Ａをターンオーバー状態にしたときの、磁石１７及びホールＩＣ１８の状態を示す図である。携帯電話機１Ａを閉じた状態にすると、上筐体１０の外面１０ｂ及び下筐体１１の内面１１ｂとが対面する。すなわち、１対の磁石１７のいずれかのＳ極側とホールＩＣ１８が対面する。よって、ホールＩＣ１８がＳ極の磁場を検出した場合に、携帯電話機１Ａがターンオーバー状態であるものと判定される。
【００４５】
なお、磁石を備えたスピーカ１４と、１対の磁石１７とが離間されるように配置されていることにより、スピーカ１４の磁石の影響で携帯電話機１Ａの状態が誤判定することが防止されている。
【００４６】
このように、クラムシェル型やスイーベル型等の複数の状態に変形する携帯電話機１Ａにおいて、磁石１７及びホールＩＣ１８を用いて開閉状態を検出する際、磁石１７及びホールＩＣ１８をスピーカ１４等の磁束を発生させる部品から、いずれの状態においても離間する位置に配置し、ホールＩＣ１８が磁石１７の磁束のみを検出するように構成することにより、携帯電話機１Ａの状態を正確に判定することができる。
【００４７】
また、携帯電話機１Ａがスイーベル型であった場合、ホールＩＣ１８は、Ｓ極，Ｎ極の両極検出２出力品で検出を行う。すなわち、ホールＩＣ１８にて、磁石１７のＳ極（あるいはＮ極）の磁場が検出された場合は閉じた状態であるものと判定をし、Ｎ極（あるいはＳ極）の磁場が検出された場合はターンオーバー状態であるものと判定する。この際、ホールＩＣ１８で磁束を検出できない場合、携帯電話機１Ａが開いた状態であるものと判定される。
【００４８】
さらに、上筐体１０にホールＩＣ１８よりも磁石１７を内蔵させて、下筐体１１に内蔵されたホールＩＣ１８によりこの磁石１７の磁場を検出することにより、実装面積を小さくすることができる。
【００４９】
そして、磁石１７及びホールＩＣ１８の双方をヒンジ部１２に近い位置に配置することにより、携帯電話機１Ａがいずれの状態に変形した場合であっても、磁石１７とホールＩＣ１８との距離が比較的小さいため、磁石１７として磁力の弱い（小さい）磁石を使用することができる。これにより、携帯電話機１Ａの実装面積を小さくすることができる。
【００５０】
第２実施形態の電子機器（携帯電話機１Ａ）によると、小型、薄型に形成されるとともに複数の状態に変形可能であり、磁石やホールＩＣでその状態を判定する際、磁石やホールＩＣをスピーカに対して離間させて配置することにより、スピーカの磁石による影響を受けることなく、正確な磁気検出を行うことが可能となる。
【００５１】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯ゲーム機、携帯テレビ等、スピーカを内蔵している電子機器であれば、任意の電子機器であって良い。
【図面の簡単な説明】
【００５２】
【図１】（Ａ）は、第１実施形態の電子機器（携帯電話機）の開いた状態を示す正面図、（Ｂ）は、第１実施形態の電子機器（携帯電話機）の開いた状態を示す側面図。
【図２】（Ａ）は、第１実施形態の電子機器（携帯電話機）の閉じた状態を示す正面図、（Ｂ）は、第１実施形態の電子機器（携帯電話機）の閉じた状態を示す側面図。
【図３】（Ａ）は、第１実施形態の電子機器（携帯電話機）において、開いた状態にしたときに、上筐体を下筐体に対して、軸周り（Ｙ方向）に９０度回転させた状態を示す正面図、（Ｂ）は、第１実施形態の電子機器（携帯電話機）において、開いた状態にしたときに、上筐体を下筐体に対して軸周り（Ｙ方向）に９０度回転させた状態を示す側面図、（Ｃ）は、第１実施形態の電子機器（携帯電話機）において、開いた状態にしたときに、上筐体を下筐体に対して軸周り（Ｙ方向）に１８０度回転させた状態を示す正面図。
【図４】（Ａ）は、第１実施形態の電子機器（携帯電話機）のターンオーバー状態を示す正面図、（Ｂ）は、第１実施形態の電子機器（携帯電話機）のターンオーバー状態を示す側面図。
【図５】第１実施形態の電子機器（携帯電話機）に収納されたスピーカ、磁石、ホールＩＣの配置を示す図。
【図６】（Ａ）及び（Ｂ）は、第１実施形態の電子機器（携帯電話機）において、上筐体にスピーカ、磁石が収納されている様子を示す図。
【図７】（Ａ）及び（Ｂ）は、第１実施形態の電子機器（携帯電話機）において、下筐体にホールＩＣが収納されている様子を示す図。
【図８】第１実施形態における磁石及びホールＩＣによる判定方法を示す判定表。
【図９】（Ａ）は、第１実施形態の電子機器（携帯電話機）を閉じた状態にしたときの、磁石、ホールＩＣの様子を示す図、（Ｂ）は、第１実施形態の電子機器（携帯電話機）をターンオーバー状態にしたときの、磁石、ホールＩＣの様子を示す図。
【図１０】第１実施形態における磁石及びホールＩＣによる判定方法を示す判定表。
【図１１】第２実施形態の電子機器（携帯電話機）に収納されたスピーカ、磁石、ホールＩＣの配置を示す図。
【図１２】（Ａ）及び（Ｂ）は、第２実施形態の電子機器（携帯電話機）において、上筐体にスピーカ、磁石が収納されている様子を示す図。
【図１３】（Ａ）及び（Ｂ）は、第２実施形態の電子機器（携帯電話機）において、下筐体にホールＩＣが収納されている様子を示す図。
【図１４】第２実施形態における磁石及びホールＩＣによる判定方法を示す判定表。
【図１５】（Ａ）は、第２実施形態の電子機器（携帯電話機）を閉じた状態にしたときの、磁石、ホールＩＣの様子を示す図、（Ｂ）は、第２実施形態の電子機器（携帯電話機）をターンオーバー状態にしたときの、磁石、ホールＩＣの様子を示す図。
【符号の説明】
【００５３】
１…携帯電話機，１０…上筐体，１０ａ…上筐体の内面，１０ｂ…上筐体の外面，１１…下筐体，１１ａ…下筐体の内面，１１ｂ…下筐体の外面，１２…ヒンジ部，１３…液晶ディスプレイ，１３ａ…サブディスプレイ，１４…スピーカ，１５…操作キー，１６…マイクロフォン，１７…磁石，１８…ホールＩＣ，２０乃至２２…判定表。
【図１】
0005028585.tif 000002
【図２】
0005028585.tif 000003
【図３】
0005028585.tif 000004
【図４】
0005028585.tif 000005
【図５】
0005028585.tif 000006
【図６】
0005028585.tif 000007
【図７】
0005028585.tif 000008
【図８】
0005028585.tif 000009
【図９】
0005028585.tif 000010
【図１０】
0005028585.tif 000011
【図１１】
0005028585.tif 000012
【図１２】
0005028585.tif 000013
【図１３】
0005028585.tif 000014
【図１４】
0005028585.tif 000015
【図１５】
0005028585.tif 000016